(57)【特許請求の範囲】
【請求項１】
回転軸方向から吸入した空気を径方向に吹き出す羽根車と、該羽根車を収容し該羽根車から吹き出される空気を前記羽根車の周りに周回させてディフューザから外部に吹き出すケーシングとを有するシロッコファンを備え、前記ディフューザが前記ディフューザから吹き出される吹出空気の吹出方向を横方向に広げる分流板を備えている空気調和機において、
前記シロッコファンの前記ケーシングは、空気を吹き出す吹出口を有するケーシング本体と、前記分流板を備え前記ケーシング本体の前記吹出口に交換自在に取り付けられるディフューザとで構成されていることを特徴とする空気調和機。
【請求項２】
請求項１に記載の空気調和機において、
前記ケーシング本体の前記吹出口に取り付けられるディフューザは、前記ケーシングの前記吹出口から吹き出される空気の吹出方向を横方向に広げる第１分流板が設けられた第１ディフューザと、前記ケーシング本体の前記吹出口から吹き出される空気の吹出方向を横方向に前記第１ディフューザよりも大きく広げる第２分流板が設けられた第２ディフューザの内から選択された一方であることを特徴とする空気調和機。
【請求項３】
請求項１又は２のいずれか１つに記載の空気調和機において、
前記ケーシング本体の前記吹出口の前端の周囲には、前記ケーシング本体の外側を向く第１段差部が形成され、前記ディフューザの奥端の周囲には、前記ディフューザの内側を向き且つ前記第１段差部に結合される第２段差部が形成されていることを特徴とする空気調和機。
【請求項４】
請求項３に記載の空気調和機において、
前記第１段差部の前記ケーシング本体の内側の角部は、前記第２段差部の前記ディフューザの内側の角部よりも内側に突出していることを特徴とする空気調和機。
【発明の詳細な説明】
【技術分野】
【０００１】
本発明は、送風機としてシロッコファンを備えた空気調和機に関する。
【背景技術】
【０００２】
ダクト型空気調和機の室内機２００は、図５に示すように、建屋天井面３００と室内天井面４００との間に、吊下げボルト５００によって吊下げ状態で設置される。この室内機２００は室外に設置された図示しない室外機に対して、冷媒配管、電源線及び制御線で接続されており、その室内機２００の筐体２１０の空気吸込口２１２ａに吸込ダクト６００の一端が取り付けられ、空気吹出口２１１ａに吹出ダクト７００の一端が取り付けられている。そして、吸込ダクト６００の他端は室内天井面４００に取り付けた吸込グリル４１０に接続され、吹出ダクト７００の他端は室内天井面４００に取り付けた吹出グリル４２０に接続されている。
【０００３】
室内機２００の筐体２１０は横長の直方体形状であり、図６、図７に示すように、前面の空気吹出口２１１ａを囲むダクト取付枠２１１、背面の空気吸込口２１２ａを囲むダクト取付枠２１２、左側面板２１３、右側面板２１４、天面板２１５、及び底面板２１６を有する。吸込ダクト６００はダクト取付枠２１２ａに取り付けられ、吹出ダクト７００はダクト取付枠２１１ａに取り付けられる。
【０００４】
そして、筐体２１０の内部には、仕切板２１７によって、空気吸込口２１２ａの側に送風機室２１８が、空気吹出口２１１ａの側に熱交換器室２１９がそれぞれ形成されている。送風機室２１８内には２台のシロッコファン２２０が並列に配置され、熱交換器室２１９内には側面視でく字形状（図５参照）に組み合わされた２枚の熱交換部からなる熱交換器２３０が配置されている。
【０００５】
シロッコファン２２０は、図８に示すように、モータ２４０の回転軸２４１に結合された羽根車２２１と、羽根車２２１を収容しその羽根車２２１から吹き出される空気を羽根車２１１の周りに周回させるケーシング２２２とで形成されている。ケーシング２２２の空気吹出口２２２ａにはディフューザ２２３が形成されている。
【０００６】
このディフューザ２２３の下面部２２３ａの内側の両側には吹出空気を分流する上向きの分流板２２３ｂが形成され、上面部２２３ｃの両側には吹出空気を分流する下向きの分流板２２３ｄが形成されている。これら分流板２２３ｂ，２２３ｄは送風効率向上や送風騒音低減のために設けられる。
【０００７】
ところで、シロッコファン２２０の分流板２２３ｂ，２２３ｄは固定配置されている。このため、ディフューザ２２３から吹き出される吹出空気の吹出方向と強さは固定であり、室内機２００の種類が異なるときは、別のシロッコファンが必要となる場合がある。
【０００８】
一方、ケーシングの吹出口の横幅を調整できるようにしたシロッコファンが提案されている（特許文献１）。
【先行技術文献】
【特許文献】
【０００９】
【特許文献１】特開２００２−１６１８９６号公報
【発明の概要】
【発明が解決しようとする課題】
【００１０】
しかしながら、特許文献１に記載のシロッコファンは、空気吹出口の横幅が調整できるのみであり、そこから吹き出される吹出空気の吹出方向や強さを調整することはできない。
【００１１】
本発明の目的は、ディフューザから吹き出される吹出空気の吹出方向や強さを調整することができるようにしたシロッコファンを備えた空気調和機を提供することである。
【課題を解決するための手段】
【００１２】
上記目的を達成するために、請求項１にかかる発明は、回転軸方向から吸入した空気を径方向に吹き出す羽根車と、該羽根車を収容し該羽根車から吹き出される空気を前記羽根車の周りに周回させてディフューザから外部に吹き出すケーシングとを有するシロッコファンを備え、前記ディフューザが前記ディフューザから吹き出される吹出空気の吹出方向を横方向に広げる分流板を備えている空気調和機において、前記シロッコファンの前記ケーシングは、空気を吹き出す吹出口を有するケーシング本体と、前記分流板を備え前記ケーシング本体の前記吹出口に交換自在に取り付けられるディフューザとで構成されていることを特徴とする。
【００１３】
請求項２にかかる発明は、請求項１に記載の空気調和機において、前記ケーシング本体の前記吹出口に取り付けられるディフューザは、前記ケーシングの前記吹出口から吹き出される空気の吹出方向を横方向に広げる第１分流板が設けられた第１ディフューザと、前記ケーシング本体の前記吹出口から吹き出される空気の吹出方向を横方向に前記第１ディフューザよりも大きく広げる第２分流板が設けられた第２ディフューザの内から選択された一方であることを特徴とする。
【００１４】
請求項３にかかる発明は、請求項１又は２のいずれか１つに記載の空気調和機において、前記ケーシング本体の前記吹出口の前端の周囲には、前記ケーシング本体の外側を向く第１段差部が形成され、前記ディフューザの奥端の周囲には、前記ディフューザの内側を向き且つ前記第１段差部に結合される第２段差部が形成されていることを特徴とする。
【００１５】
請求項４にかかる発明は、請求項３に記載の空気調和機において、前記第１段差部の前記ケーシング本体の内側の角部は、前記第２段差部の前記ディフューザの内側の角部よりも内側に突出していることを特徴とする。
【発明の効果】
【００１６】
本発明によれば、シロッコファンのケーシングがケーシング本体とディフューザが分離され、そのディフューザがケーシング本体に対して交換可能に取り付けられるようになっているので、ディフューザの交換によって事後的に吹出空気の吹出方向や強さを調整することができ、複数種の空気調和機に対応することができ、汎用性が高まる利点がある。
【図面の簡単な説明】
【００１７】
【図１】本発明の実施例のシロッコファンのケーシング本体の斜視図である。
【図２】（ａ），（ｂ）は図１のケーシング本体に着脱自在に取り付けられるディフューザの斜視図である。
【図３】図１のシロッコファンの空気調和機への取付説明図である。
【図４】図３の矢印Ａ部分の拡大断面図である。
【図５】従来のダクト型空気調和機の室内機の取付説明図である。
【図６】従来の室内機の斜視図である。
【図７】従来の室内機の天面板を取り外した状態の斜視図である。
【図８】従来のシロッコファンの斜視図である。
【発明を実施するための形態】
【００１８】
図１に本発明の１つの実施例のシロッコファン１００のケーシングのケーシング本体１０を示す。シロッコファン１００のケーシングは、図１に示したケーシング本体１０と図２に示した第１ディフューザ２０又は第２ディフューザ３０により構成される。ケーシング本体１０は渦巻き形状であり、羽根車を図８と同様に収容するようになっている。このケーシング本体１０は、上部ケーシング４０と下部ケーシング５０を組み組み合わせたものである。その組み立ては、取付金具１１、１２を用いて行われる。第１、第２ディフューザ２０、３０は、ケーシング本体１０の吹出口１３に交換可能に取り付けられる。
【００１９】
上部ケーシング４０は、羽根車の空気吸込口の一部となる半円形の切欠き部４１ａを有する左側面板４１と、同様に羽根車の空気吸込口の一部となる半円形の切欠き部４２ａを有する右側面板４２と、上面部４３ａと湾曲背面部４３ｂを有する天面板４３とで構成されている。天面板４３は、左側面板４１と右側面板４２を接続している。
【００２０】
下部ケーシング５０は、羽根車の空気吸込口の一部となる半円形の切欠き部５１ａを有する左側面板５１と、同様の羽根車の空気吸込口の一部となる半円形の切欠き部５２ａを有する右側面板５２と、湾曲底面板５３とで構成されている。湾曲底面板５３は、左側面板５１と右側面板５２を接続している。
【００２１】
第１ディフューザ２０は、ケーシング本体１０の上部ケーシング４０と下部ケーシング５０で形成される矩形の吹出口１３に、第２ディフューザ３０と交換可能に取り付けられる矩形の枠形状であり、下面部２１、上面部２２、左側面部２３、及び右側面部２４を有する。
【００２２】
下面部２１の左側面部２３に寄った部分に上向きの分流板２５が、下面部２１の右側面部２４に寄った部分に上向きの分流板２６が、上面部２２の左側面部２３に寄った部分に下向きの分流板２７が、上面部２２の右側面部２４に寄った部分に下向きの分流板２８が、それぞれ形成されている。
【００２３】
そして、分流板２５、２６の奥端２５ａ、２６ａは、下面部２１の奥端２１ａまで伸びている。また、分流板２７、２８の奥端も、図示しないが、分流板２５、２６の奥端２５ａ、２６ａと同様に、上面部２２の奥端２２ａまで伸びている。
【００２４】
第２ディフューザ３０も、ケーシング本体１０の吹出口１３に第１ディフューザ２０と交換可能に取り付けられる矩形の枠形状であり、下面部３１、上面部３２、左側面部３３、及び右側面部３４を有する。
【００２５】
下面部３１の左側面部３３に寄った部分に上向きの分流板３５が、下面部３１の右側面部３４に寄った部分に上向きの分流板３６が、上面部３２の左側面部３３に寄った部分に下向きの分流板３７が、上面部３２の右側面部３４に寄った部分に下向きの分流板３８が、それぞれ形成されている。
【００２６】
そして、分流板３５、３６の奥端３５ａ、３６ａは、下面部３１の奥端３１ａまで伸びている。また、分流板３７、３８の奥端も、図示しないが、分流板３５、３６の奥端３５ａ、３６ａと同様に、上面部３２の奥端３２ａまで伸びている。
【００２７】
そして、第２ディフューザ３０の分流板３５、３７は、第１ディフューザ２０の分流板２５、２７よりも、図２において手前側が左方向に傾斜する角度が大きくなっている。このため、図２の奥側から手前側に送風される空気流の内の左方向に吹き出す空気流の量が、第１ディフューザ２０による場合よりも多くなると共に、その空気流が左側面部２３と分流板３５、３７によって絞られるので、その空気流の速度が増大される。
【００２８】
また、第２ディフューザ３０の分流板３６、３８は、第１ディフューザ２０の分流板２６、２８よりも、図２において手前側が右方向に傾斜する角度が大きくなっている。このため、図２の奥側から手前側に送風される空気流の内の右方向に吹き出す空気流の量が、第１ディフューザ２０による場合よりも多くなると共に、その空気流が右側面部２４と分流板３６、３８によって絞られるので、その空気流の速度が増大される。
【００２９】
図８で説明した羽根車２２１と同様の羽根車６０を装着した本実施例のシロッコファン１００は、ケーシング本体１０が、図３に示すように、筐体２１０の内部を仕切板２１７で区画して形成された送風機室２１８に、仕切板２１７のファン開口２１７ａに嵌め込まれた状態で配置される。また、第１ディフューザ２０又は第２ディフューザ３０は熱交換器室２１９に配置される。
【００３０】
符号を用いて後記するように、ケーシング本体１０の吹出口１３の前端の周囲には吹出口１３の外側を向く外向きの第１段差部が形成され、第１ディフューザ２０及び第２ディフューザ３０の奥端の周囲には、ケーシング本体１０の段差部に結合するように吹出口１３の内側を向く内向きの第２段差部が形成されている。よって、ケーシング本体１０の外向きの段差部と第１ディフューザ２０又は第２ディフューザ３０の内向きの段差部を互いに結合することで、それらディフューザ２０又は３０は、ケーシング本体１０の吹出口１１に対して上下左右方向にずれることなく、正確に取り付けられる。
【００３１】
図４に、ケーシング本体１０の上部ケーシング４０の右側面板４２の吹出口１３の部分と、第１ディフューザ２０の右側面部２４との結合構造（図３の矢印Ａで示した部分）を代表して示す。ケーシング本体１０の右側面板４２の前端には、吹出口１３の外側に切欠き部４２ｂ１が形成された外向きの第１段差部４２ｂが形成されている。また、ディフューザ２０の右側面部２４の奥端には、吹出口１３の内側に切欠き部２４ａ１が形成された内向きの第２段差部２４ａが形成されている。
【００３２】
よって、段差部４２ｂの切欠き部４２ｂ１と段差部２４ｂの切欠き部２４ｂ１が合わせられると、第１段差部４２ｂが吹出口１３の内側となり、第２段差部２４ａが吹出口１３の外側となるように取り付けられる。そして、その第１段差部４２ｂと第２段差部２４ａをビスＢ１で固定することにより、図４に示したような結合状態となる。
【００３３】
このとき、その結合状態では、ケーシング１０の右側面板４２の第１段差部４２ｂの内側の角部４２ｂ２が、第１ディフューザ２０の右側面部２４の段差部２４ａの内側の角部２４ａ２よりも、内側に距離Ｌ１だけ突出している。さらに、段差部４２ｂ、２４ａの合わせ面Ｃが、図４に示すように、吹出口１３の側から図４の右方向に伸び、それから右側面部４２の方向（図４の上方向）に伸び、さらに図４の右方向に伸び、右側面板４２と右側面部２４の外側に至るように２回だけ反対方向に曲折している。
【００３４】
このため、ケーシング本体１０の吹出口１３から吹き出される吹出空気の空気流が、ケーシング本体１０の右側面部４２の角部４２ｂ２と第１ディフューザ２０の角部２４ａ２の部分から合わせ面Ｃに入り込んで、ケーシング本体１０の右側面板４２と第１ディフューザ２０の右側面部２４の外側に散逸することを防止できる。すなわち、ケーシング本体１０や第１ディフューザ２０は樹脂成型によって形成され、そのとき、合わせ面Ｃの隙間が大きくなる場合があるが、この場合であっても、その合わせ面Ｃを経由して吹出空気が漏れることを防止できる。なお、前述したように、第２ディフューザ３０にも第１ディフューザ１０の第２段差部２４ａと同様な段差部が形成されているので、第１ディフューザと同様にケーシング本体１０の吹出口１３の第１段差部４２ｂに合わせられ、同様に吹出空気の漏れが防止される。
【００３５】
以上のように、本実施例では、室内機２００の送風機室２１８に固定的に配置されたシロッコファン１００のケーシング本体１０の吹出口１３に対して、熱交換器室２１９の側において、ディフューザ２０又は３０を選択的に取り付けることができ、その交換が可能となる。
【００３６】
したがって、室内機２００の熱交換器室２１９に配置される熱交換器２３０の横幅が狭いときは、吹出空気が横方向に広がる程度が小さい分流板２５〜２８を有する第１ディフューザ２０を取り付け、熱交換器２３０の横幅が広いときは、吹出空気が横方向に広がる程度が大きい分流板３５〜３８を有する第２ディフューザ３０を取り付けることで、シロッコファン１００の吹出空気の広がりを熱交換器２３０の横幅に対応して変更することができる。
【００３７】
なお、以上説明した実施例では、２種のディフューザ２０、３０を使用したが、３種類以上を用意すれば、より多種類の熱交換器に対応させることができる。
【符号の説明】
【００３８】
１００：シロッコファン
１０：ケーシング本体、１１、１２：取付金具、１３：吹出口
２０：第１ディフューザ、２１：下面部、２２：上面部、２３：左側面部、２４：右側面部、２４ａ：第２段差部、２４ａ２：角部、２５〜２８：分流板
３０：第２ディフューザ、３１：下面部、３２：上面部、３３：左側面部、３４：右側面部、３５〜３８：分流板
４０：上部ケーシング、４１：左側面板、４２：右側面板、４２ｂ：第１段差部、４２ｂ２：角部、４３：天面板
５０：下部ケーシング、５１：左側面板、５２：右側面板、５３：底面板
６０：羽根車
２００：室内機
２１０：筐体、２１７：仕切板、２１８：送風機室、２１９：熱交換器室
２２０：従来のシロッコファン
２３０：熱交換器
【図１】
0006648593.tif 000002
【図２】
0006648593.tif 000003
【図３】
0006648593.tif 000004
【図４】
0006648593.tif 000005
【図５】
0006648593.tif 000006
【図６】
0006648593.tif 000007
【図７】
0006648593.tif 000008
【図８】
0006648593.tif 000009